(57)【要約】      （修正有）【課題】樹脂製の立て管に変形や垂れ下がりを生ずることなく、これを適切に支持することができる配管支持具を提供する。【解決手段】樹脂製の給水立て管Ｐを、スラブＳに着座した状態で支持する配管支持具１であって、給水立て管Ｐを緊結保持するバンド部２と、バンド部２から外方に延在しスラブＳの孔縁部Ｓｂに着座するバンド支持部３と、を備え、バンド部２のバンド幅を、支持する給水立て管Ｐの呼び径が１５Ａ〜２５Ａのときに３４〜７５ｍｍとし、呼び径が３２Ａ〜５０Ａのときに３４〜８０ｍｍとし、呼び径が６５Ａおよび８０Ａのときに４２〜９０ｍｍとし、呼び径が１００Ａのときに５０〜９０ｍｍとし、呼び径が１２５Ａおよび１５０Ａのときに５０〜１００ｍｍとし、呼び径が２００Ａのときに６５〜１３０ｍｍとしたものである。【選択図】図１
0003187363.tif 000002
【実用新案登録請求の範囲】
【請求項１】
スラブに形成された貫通孔に挿通して配管された樹脂製の立て管を、前記スラブに着座した状態で支持する配管支持具であって、
前記立て管を緊結保持するバンド部と、
前記バンド部から外方に延在すると共に、前記貫通孔が形成された前記スラブの孔縁部に着座する一対のバンド支持部と、を備え、
前記バンド部のバンド幅を、支持する前記立て管の呼び径が１５Ａ〜２５Ａのときに３４〜７５ｍｍとし、呼び径が３２Ａ〜５０Ａのときに３４〜８０ｍｍとし、呼び径が６５Ａおよび８０Ａのときに４２〜９０ｍｍとし、呼び径が１００Ａのときに５０〜９０ｍｍとし、呼び径が１２５Ａおよび１５０Ａのときに５０〜１００ｍｍとし、呼び径が２００Ａのときに６５〜１３０ｍｍとしたことを特徴とする配管支持具。
【請求項２】
前記バンド部は、
前記立て管を周方向に囲繞する半円状の一対のバンド片と、
前記各バンド片の両端から延び、前記一対のバンド片の一方の端部同士および他方の端部同士を締結するための各一対、計２組の緊結片と、を有し、
前記各一対、計２組の緊結片が、前記バンド支持部を兼ねていることを特徴とする請求項１に記載の配管支持具。
【請求項３】
前記バンド部は、
前記立て管を周方向に囲繞する半円状の一対のバンド片と、
前記各バンド片の両端から延び、前記一対のバンド片の一方の端部同士を回動自在に連結するヒンジ部、および他方の端部同士を締結するための一対の緊結片と、を有し、
前記バンド支持部は、
前記各バンド片から外方に突設され、１８０°点対称位置に配設された一対の支持片を有していることを特徴とする請求項１に記載の配管支持具。
【請求項４】
前記各支持片には、軽量化のための抜き孔が形成されていることを特徴とする請求項３に記載の配管支持具。
【請求項５】
前記各バンド片には、前記立て管に対し前記バンド片より摩擦係数の高いコーティング部が設けられていることを特徴とする請求項２ないし４のいずれかに記載の配管支持具。
【請求項６】
前記各バンド片には、前記立て管に対し前記バンド片より摩擦係数の高いカラーが装着されていることを特徴とする請求項２ないし４のいずれかに記載の配管支持具。
【考案の詳細な説明】
【技術分野】
【０００１】
本考案は、給水管、給湯管、排水管等の樹脂製の立て管を、スラブ上で支持する配管支持具に関するものである。
【背景技術】
【０００２】
従来、この種の立て管を支持する配管支持具として、いわゆる床バンドが知られている。この床バンドは、配管支持用の環状部材を二つ割りの半円弧形で対称形の部材により形成し、その二つ割りの半円弧形の部材の両端部分に、向き合わせた二つの平行部分を形成し、この二つの平行部分をボルト締めするようにしている。そして、このように構成された床バンドは、スラブ上に載置された状態で、立て管を緊結支持する。また、立て管とスラブの貫通孔との間隙は、モルタルで穴埋めされ、さらに床バンドは、スラブ上において、床を構成するモルタルに埋め込まれている。
【先行技術文献】
【特許文献】
【０００３】
【特許文献１】特開平９−１２６２１６号公報
【考案の概要】
【考案が解決しようとする課題】
【０００４】
近年、給水管や給湯管等の管材として、立て管においても、鋼管に代えて樹脂管（ポリエチレン管、架橋ポリエチレン管、ポリブデン管）が用いられるようになってきている。一方、立て管を支持する上記従来の床バンドは、鋼管支持用に設計され、立て管を強く緊結（ボルト締め）することで、立て管のみならず立て管に満たされた水道水（湯）を含んで、その軸方向の荷重を受け得る（支持する）ようになっている。
このため、樹脂製の立て管を適切に緊結すべく、鋼管の場合と同様に強くボルト締めすると、立て管が変形してしまう、或いは立て管の表面を傷つけてしまうおそれがある。一方で、立て管が変形しない程度に締付けを加減すると、振動等により立て管が軸方向に滑って（ずれて）、経時的に配管の垂れ下がりを生ずるおそれがある。
【０００５】
本考案は、樹脂製の立て管に変形や垂れ下がりを生ずることなく、これを適切に支持することができる配管支持具を提供することを課題としている。
【課題を解決するための手段】
【０００６】
本考案の配管支持具は、スラブに形成された貫通孔に挿通して配管された樹脂製の立て管を、スラブに着座した状態で支持する配管支持具であって、立て管を緊結保持するバンド部と、バンド部から外方に延在すると共に、貫通孔が形成されたスラブの孔縁部に着座するバンド支持部と、を備え、バンド部のバンド幅を、支持する立て管の呼び径が１５Ａ〜２５Ａのときに３４〜７５ｍｍとし、呼び径が３２Ａ〜５０Ａのときに３４〜８０ｍｍとし、呼び径が６５Ａおよび８０Ａのときに４２〜９０ｍｍとし、呼び径が１００Ａのときに５０〜９０ｍｍとし、呼び径が１２５Ａおよび１５０Ａのときに５０〜１００ｍｍとし、呼び径が２００Ａのときに６５〜１３０ｍｍとしたことを特徴とする。
【０００７】
ところで、この種の市販の配管支持具（床バンド）では、強くボルト締めすることを前提としているため、呼び径１５Ａ〜１００Ａの立て管（鋼管）に対し、バンド幅が２５ｍｍ程度の細いものが用いられている。
この構成によれば、バンド部のバンド幅が、従来のバンド幅に対し１．５〜３倍程度の広幅に形成されている。したがって、バンド部は、立て管を広い面積を持って緊結することとなる。このため、立て管の支持に際し、軸方向に高い摩擦力を維持したまま、バンド部の緊結力（ボルト締め）を比較的弱くすることができる。よって、樹脂製の立て管に変形や垂れ下がりを生ずることなく、これを適切に支持することができる。
【０００８】
この場合、バンド部は、立て管を周方向に囲繞する半円状の一対のバンド片と、各バンド片の両端から延び、一対のバンド片の一方の端部同士および他方の端部同士を締結するための各一対、計２組の緊結片と、を有し、各一対、計２組の緊結片が、バンド支持部を兼ねていることが好ましい。
【０００９】
この構成によれば、バンド幅を広くするだけで、一般的な床バンドの形態（単純な形態）を踏襲しつつ、樹脂製の立て管を適切に支持することができる。なお、各一対、計２組の緊結片は、各バンド片の幅に合わせて幅広に形成することが好ましい。また、計２組の緊結片は、ボルト締めとすることが好ましい。かかる場合には、立て管を均一に緊結すべく、緊結片の幅に対応させて複数の箇所でボルト締めとすることが好ましい。
【００１０】
同様に、バンド部は、立て管を周方向に囲繞する半円状の一対のバンド片と、各バンド片の両端から延び、一対のバンド片の一方の端部同士を回動自在に連結するヒンジ部、および他方の端部同士を締結するための一対の緊結片と、を有し、バンド支持部は、各バンド片から外方に突設され、１８０°点対称位置に配設された一対の支持片を有していることが好ましい。
【００１１】
この構成によれば、いわゆる吊バンドや立バンドの形態を踏襲しつつ、床バンドの機能を持たせることができる。すなわち、蝶番付きのバンドに一対の支持片を設けることで、立て管を支持するための作業性の良好な床バンドを構成することができる。なお、一対の支持片は、ヒンジ部や一対の緊結片から９０°位置ズレした位置に配設することが好ましい。
【００１２】
この場合、各支持片には、軽量化のための抜き孔が形成されていることが好ましい。
【００１３】
この構成によれば、スラブの孔縁部に着座する支持片が、長いものであっても、或いは幅広のバンド片と同幅であっても、これを軽量化することができる。すなわち、幅広のバンド部を有する配管支持具において、配管の支持強度を損なうことなく、その重量の増加を抑制することができる。
【００１４】
また、各バンド片には、立て管に対しバンド片より摩擦係数の高いコーティング部が設けられていることが好ましい。
【００１５】
同様に、各バンド片には、立て管に対しバンド片より摩擦係数の高いカラーが装着されていることが好ましい。
【００１６】
これらの構成によれば、立て管に対するバンド部の緊結力（締付け力）を抑えつつ、すなわち立て管の変形を抑制しつつ、立て管の軸方向へのズレを有効に防止することができる。また、コーティングおよびカラーに、立て管より柔らかい材料を用いれば、揺れ等により立て管が傷つくのを防止することができる。
【図面の簡単な説明】
【００１７】
【図１】本実施形態の配管支持具を給水立て管に取り付けた状態の説明図である。
【図２】第１実施形態に係る配管支持具の斜視図である。
【図３】給水立て管の呼び径と配管支持具のバンド幅との関係を表した図である。
【図４】第１実施形態の変形例に係る配管支持具の斜視図である。
【図５】第２実施形態に係る配管支持具の斜視図である。
【図６】第２実施形態の変形例に係る配管支持具の斜視図である。
【考案を実施するための形態】
【００１８】
以下、添付の図面を参照して、本考案の一実施形態に係る配管支持具について説明する。この配管支持具は、いわゆる床バンドであり、樹脂管で構成された給水管、給湯管、排水管等の立て管を、スラブ上（うえ）で支持するものである。この実施形態では、ポリエチレン管（水道用ポリエチレン管）で構成された給水立て管（給水管）を支持する金属製（スチールやステンレス製）の配管支持具について説明する。
【００１９】
図１は、給水立て管およびこれを支持する本実施形態の配管支持具を表している。同図に示すように、給水立て管Ｐは、例えば各階のパイプシャフトＰＳに配管され、各階のスラブＳを貫通して上下方向に延在している。特に図示しないが、給水の同時使用を考慮し、上向き配管となる給水立て管Ｐでは、下階から上階に向かって段階的に細くなり、下向き配管となる給水立て管Ｐでは、上階から下階に向かって段階的細くなっている。
【００２０】
各階のスラブＳには、配管用の貫通孔Ｓａが形成されており、給水立て管Ｐはこの貫通孔Ｓａに挿通するようにして縦通しで配管されている。この場合、貫通孔Ｓａは、挿通する給水立て管Ｐの外径より５０ｍｍ程度太径に形成され、給水立て管Ｐを配管した後、モルタルＭ等で穴埋めされる。このモルタルＭにより、給水立て管Ｐの横ブレが防止される。
【００２１】
各階のスラブＳ上には、給水立て管Ｐを支持する２分割構造の配管支持具１が設けられている。配管支持具１は、給水立て管Ｐを周方向に緊結し、この状態でスラブＳ上に着座するように設けられている。すなわち、配管支持具１は、貫通孔Ｓａが形成されたスラブＳの孔縁部Ｓｂに着座する。これにより、給水立て管Ｐ（およびこれに充填された水を含む）は、配管支持具１を介してスラブＳに支持される。そして、詳細は後述するが、配管支持具１は、支持対象となる給水立て管Ｐの径に対応したものが用意されている。なお、スラブＳ上の配管支持具１は、このまま露出させた状態としてもよいし、スラブＳ上に打設したモルタルＭ（床を構成）により隠蔽（埋設）するようにしてもよい。
【００２２】
図２は、第１実施形態に係る配管支持具１の外観斜視図である。同図に示すように、配管支持具１は、給水立て管Ｐを保持するバンド部２と、バンド部２を支持すると共にスラブＳ上に着座するバンド支持部３と、を備えている。具体的には、配管支持具１は、半円状の一対のバンド片１１から成るバンド部２と、各バンド片１１の両端部からそれぞれ延在し、それぞれが一対の緊結片１２から成る２つの緊結部４と、を備えており、この２つの緊結部４が、バンド支持部３を兼ねている。したがって、２つの緊結部４は、相互に１８０°点対称位置に配設され、且つ上記スラブＳの孔縁部Ｓｂに着座するように、バンド部２からそれぞれ長く延在している。
【００２３】
バンド部２は、その内径が、支持する給水立て管Ｐの外径とほぼ同一（内径≦外径）となるように形成されている。各バンド片１１と、バンド片１１の両端から径方向に延びる一対の緊結片１２とは、板金で一体に形成されており（プレス成形）、この板金の２つを突合せることで、２分割構造の配管支持具１が構成されている。そして、本実施形態の配管支持具１を構成するバンド部２と、２つの緊結部４とは、市販の床バンドに比して十分に広幅に形成されている。
【００２４】
図３は、給水立て管Ｐの呼び径と配管支持具１のバンド幅Ｗの関係を表している。同図に示すように、給水立て管Ｐの呼び径が１５Ａ〜２５Ａのときにバンド幅Ｗを３４〜７５ｍｍとし、呼び径が３２Ａ〜５０Ａのときにバンド幅Ｗを３４〜８０ｍｍとし、呼び径が６５Ａおよび８０Ａのときにバンド幅Ｗを４２〜９０ｍｍとし、呼び径が１００Ａのときにバンド幅Ｗを５０〜９０ｍｍとし、呼び径が１２５Ａおよび１５０Ａのときにバンド幅Ｗを５０〜１００ｍｍとし、呼び径が２００Ａのときにバンド幅Ｗを６５〜１３０ｍｍとしている。
【００２５】
すなわち、配管支持具１のバンド幅Ｗは、従来の床バンドのバンド幅Ｗに対し１．５〜３倍程度の広幅に形成されている。実際の配管支持具１のバンド幅Ｗは、給水立て管Ｐとバンド部２との間に生ずる摩擦力を考慮し、従来の床バンドのバンド幅Ｗに対し２倍程度とすることが好ましい。なお、同図示では省略したが、バンド部２の径や各緊結部４の長さは、従来の床バンドと同様に、給水立て管Ｐの呼び径の大小に対応して設計されている。
【００２６】
２つの緊結部４は、バンド部２と同幅に形成されており、各緊結片１２には、その幅に対応して、ボルト締め用の４個の挿通孔１３ａ，１３ｂが形成されている。４個の挿通孔１３ａ，１３ｂのうち、バンド部２側となる内側の２個の挿通孔１３ａには、バンド部２を緊結するために、２本のボルト１４およびナット１５が取り付けられ。外側の２個の挿通孔１３ｂには、緊結片１２同士を一体化してバンド支持部３とするために、２本のボルト１４およびナット１５が取り付けられている。すなわち、２つの緊結部４の内側の２組のボルト１４を締め付けることにより、給水立て管Ｐがバンド部２により緊結され、外側の２組のボルト１４を締め付けることにより、緊結片１２同士が一体化して強固なバンド支持部３（緊結部４）となる。
【００２７】
以上のように、第１実施形態の配管支持具１によれば、バンド幅Ｗが鋼管用の床バンドに比して十分に幅広に形成されているため、バンド部２は、給水立て管Ｐを広い面積を持って緊結することができる。このため、給水立て管Ｐの支持に際し、バンド部２の緊結力（ボルト締め）を比較的弱くしても、軸方向に高い摩擦力を持たせることができる。したがって、樹脂製の給水立て管Ｐに変形や垂れ下がりを生ずることなく、これを適切に支持することができる。
【００２８】
次に、図４を参照して、第１実施形態の変形例に係る配管支持具１について説明する。なお、変形例に係る配管支持具１の基本形態は、上記第１実施形態の配管支持具１と同一である。
【００２９】
図４（ａ）の第１変形例に係る配管支持具１Ａは、そのバンド部２にリブ部２１が形成されている。すなわち、各バンド片１１には、その幅方向中間部に、外方に突出変形させた帯状のリブ部２１が形成（プレス成形）されている。このリブ部２１は、バンド部２（バンド片１１）の剛性を高めるべく補強部として機能する。したがって、このバンド部２では、上記第１実施形態のものに比して、その肉厚を幾分薄くすることができる。
【００３０】
なお、リブ部２１は、相互に平行に複数形成してもよい。また、リブ部２１の突出寸法を、バンド片１１の周方向の中間部では浅く（小さく）、両外側に向かって徐々に深く（大きく）するようにしてもよい。このようにすれば、ボルト締めされたバンド部２は、給水立て管Ｐを均一締め付けることとなる。これにより、給水立て管Ｐの変形が抑制される。
【００３１】
図４（ｂ）の第２変形例に係る配管支持具１Ｂは、そのバンド部２にコーティングが施されている。すなわち、各バンド片１１には、その表面を樹脂コーティングしたコーティング部２２が設けられている。この樹脂コーティングは、給水立て管Ｐに対し金属製のバンド片１１より摩擦係数の高いもの、例えば塩ビコーティングとすることが好ましい。このように、第２変形例の配管支持具１Ｂでは、バンド部２においてコーティング部２２が給水立て管Ｐに直接接触する。このため、大きな摩擦力が得ることができ、給水立て管Ｐが軸方向にずれるのを有効に防止することができる。
【００３２】
図４（ｃ）の第３変形例に係る配管支持具１Ｃは、そのバンド部２にカラー２３が装着されている。すなわち、各バンド片１１の内側には、半円状のカラー２３が装着されている。カラー２３は、バンド片１１の内周面に対応すると共に給水立て管Ｐに接触するカラー本体２３ａと、カラー本体２３ａの上下に連なる一対の掛止め部２３ｂと、で一体に形成されている。各掛止め部２３ｂは、カラー本体２３ａから折り返すように形成されており、この一対の掛止め部２３ｂをバンド片１１の上下の端部に内側から嵌め入れることにより、カラー２３がバンド片１１に装着されている。そして、カラー２３は、給水立て管Ｐに対し金属製のバンド片１１より摩擦係数の高い材料、例えば樹脂やゴム等で構成されている。
【００３３】
このような、第３変形例の配管支持具１Ｃでも、カラー２３が給水立て管Ｐに直接接触するため、大きな摩擦力が得ることができ、給水立て管Ｐが軸方向にずれるのを有効に防止することができる。なお、カラー２３を、給水立て管Ｐと同材質のポリエチレンで構成し、給水立て管Ｐに融着する（接着は不可能）ようにしてもよい。もっとも、この場合には、給水立て管Ｐのズレは確実に防止されるため、バンド部２を幅広に形成しなくてもよい。
【００３４】
次に、図５を参照して、第２実施形態に係る配管支持具１Ｄについて説明する。この配管支持具１Ｄは、いわゆる吊バンドや立バンドを改良したものであり、第１実施形態における２つの緊結部４のうちの、一方の緊結部４に相当する部分に、一対のバンド片１１を回動自在に連結するヒンジ部５が構成されている。また、他方の緊結部４Ａは、第１実施形態のものより短く形成されている。そして、バンド部２には、外方に突設された一対の支持片１６から成るバンド支持部３が、別途形成されている。
【００３５】
第２実施形態の緊結部４Ａは、第１実施形態の緊結部４と異なりバンド支持部３の機能は無く、第１実施形態の緊結片１２における外側の２個の挿通口１３ｂは設けられていない。すなわち、緊結片１２の２個の挿通孔１３ａには、２本のボルト１４およびナット１５が取り付けられ。この２本のボルト１４を締め付けることにより、給水立て管Ｐがバンド部２により緊結される。
【００３６】
バンド支持部３を構成する一対の支持片１６は、それぞれ第１実施形態の緊結片１２と同様に板状に形成され、且つ起立した状態でバンド片１１に取り付けられている。そして、一方の支持片１６は、一方のバンド片１１の周方向中間位置に取り付けられ、他方の支持片１６は、他方のバンド片１１の周方向中間位置に取り付けられている。すなわち、一対の支持片１６は、バンド部２において、緊結部４Ａから周方向に９０°位置ズレすると共に相互に１８０°点対称位置に配設されている。各支持片１６は、バンド片１１の外周面に溶着（すみ肉溶接）されており、第１実施形態の緊結片１２と同様に、バンド片１１の外周面から径方向に長く延在している。
【００３７】
また、各支持片１６には、複数の抜き孔１７が形成されている。抜き孔１７は、縦長に形成されており、支持片１６において軸方向の荷重に対する支持強度を維持しつつ、軽量化が図られている。そして、この実施形態においても、第１実施形態と同様に、バンド部２、緊結部４Ａおよびバンド支持部３は、従来の床バンドに比してそのバンド幅Ｗが広幅に形成されている（図３参照）。すなわち、この配管支持具１Ｄにおいても、そのバンド幅Ｗは、従来の床バンドのバンド幅Ｗに対し１．５〜３倍程度の広幅に形成されている。
【００３８】
以上のように、第２実施形態の配管支持具１Ｄによれば、バンド幅Ｗが鋼管用の床バンドに比して十分に幅広に形成されているため、給水立て管Ｐの支持に際し、バンド部２の緊結力（ボルト締め）を比較的弱くしても、軸方向に高い摩擦力を持たせることができる。よって、樹脂製の給水立て管Ｐに変形や垂れ下がりを生ずることなく、これを適切に支持することができる。また、この配管支持具１Ｄは、吊バンドや立バンドを踏襲したヒンジ構造としているため、その取付け作業を簡単に行うことができる。なお、支持片１６は、バンド片１１から径方向に突出する本体部分と、バンド片１１の外周面に添う取付け部分とで構成し、取付け部分でバンド片１１に溶着する構成であってもよい。
【００３９】
次に、図６を参照して、第２実施形態の変形例に係る配管支持具１Ｅについて説明する。この変形例に係る配管支持具１Ｅでは、バンド支持部３を構成する各支持片１６Ａが、バンド片１１と一体に形成されている。すなわち、この配管支持具１Ｅでは、支持片１６Ａを、板金を折り返して形成することにより、緊結片１２、バンド片１１、支持片１６Ａおよびヒンジ部５の一部が、板金で一体に形成されている。なお、折り返して形成した支持片１６Ａは、基端側をスポット溶接することで一体化されている。
【００４０】
これにより、製造工程において溶接作業が簡略化され、配管支持具１Ｅを簡単に製造することができる。また、支持片１６Ａは、２枚合せの構造となるため、支持片１６Ａに十分に支持強度を持たせることができる。なお、第２実施形態の配管支持具１Ｄ，１Ｅにおいても、バンド部２に、図４に示すリブ部２１、コーティング部２２、カラー２３を設けることが可能である。
【００４１】
以上のように、本実施形態では、ポリエチレン管で構成された給水立て管を支持する配管支持具について説明したが、本考案の配管支持具は、ポリエチレン管の他、架橋ポリエチレン管、ポリブデン管、塩化ビニル管等の樹脂管にも適用可能である。また、本実施形態では、金属製の配管支持具について説明したが、樹脂製の配管支持具であってもよい。
【符号の説明】
【００４２】
１，１Ａ，１Ｂ，１Ｃ，１Ｄ，１Ｅ  配管支持具、２  バンド部、３  バンド支持部、４，４Ａ  緊結部、５  ヒンジ部、１１  バンド片、１２  緊結片、１３ａ，１３ｂ  挿通孔、１４  ボルト、１５  ナット、１６，１６Ａ  支持片、１７  抜き孔、２２  コーティング部、２３  カラー、Ｐ  給水立て管、Ｓ  スラブ、Ｓａ  貫通孔、Ｓｂ  孔縁部、Ｗ  バンド幅
【図１】
0003187363.tif 000003
【図２】
0003187363.tif 000004
【図３】
0003187363.tif 000005
【図４】
0003187363.tif 000006
【図５】
0003187363.tif 000007
【図６】
0003187363.tif 000008